(57)【特許請求の範囲】
【請求項１】
選択呼無線機内で、複数の制御フレームおよびデータ・フレーム内に含まれ、それぞれがアドレス信号と、関連するメッセージ情報とを有するショート・メッセージおよびロング・メッセージを有する、第１無線チャネル上に送信される無線信号を受信するために用いられる方法であって：
各制御フレームがアドレス・フィールドと情報フィールドとによって構成される、制御フレーム；
制御フレームの前記アドレス・フィールドが１組のアドレス信号を有し、前記１組のアドレス信号の各アドレス信号がサブベクトルとアドレスであるところの２つの異なる部分を有する、アドレス・フィールド；
各サブベクトルが前記制御フレーム内のデータ・パケットの位置を示すバイナリ値を有する、サブベクトル；
各アドレスが前記データ・パケットに関連する複数の選択呼無線機のうちの１つを示す、アドレス；
前記情報フィールドが前記アドレス・フィールドの後に続き、前記１組のデータ・パケットを有しており、前記１組のデータ・パケット内の各データ・パケットが前記制御フレーム内の前記少なくとも１つのサブベクトルのバイナリ値によって示されるデータ・パケットの位置を有し、前記１組のデータ・パケット内の各データ・パケットがベクトル・パケットおよびショート・メッセージ・パケットのうちどちらか一方である、情報フィールド；および
ベクトル・パケットが前記複数の制御フレームおよびデータ・フレーム内のロング・メッセージの開始位置を示す、ベクトル・パケットによって構成されることを特徴とし、前記方法が：
前記無線信号を受信する段階；
前記無線信号内に前記受信された制御フレームの前記アドレス・フィールド内の第１アドレス信号の中に第１アドレスが存在することを判定する段階であって、このとき前記第１アドレスが前記選択呼無線機に割り当てられた埋込アドレスに一致する段階；
前記第１アドレス信号の部分である前記第１サブベクトルのバイナリ値を判定する段階；
前記第１サブベクトルの前記バイナリ値により決定される第１データ・パケットの開始位置を解読する段階；
前記第１データ・パケットの開始位置において前記第１データ・パケットを回復する段階であって、前記第１データ・フィールドにおける前記データ・パケットは可変長である段階；
前記第１データ・パケットがベクトル・パケットであるときに第１ロング・メッセージの開始位置を解読する段階；および
前記第１ロング・メッセージの前記開始位置において始まる前記第１ロング・メッセージを処理する段階；
を具備することを特徴とする方法。
【請求項２】
複数の無線チャネルの内の第１無線チャネル上に送信される無線信号を受信する受信機であって、前記無線信号が、複数の制御フレームおよびデータ・フレーム内に含まれ、それぞれがアドレス信号と、関連するメッセージ情報とを有するショート・メッセージおよびロング・メッセージを有する、受信機であって：
各制御フレームがアドレス・フィールドと情報フィールドとによって構成される、制御フレーム；
前記制御フレームのアドレス・フィールドが１組のアドレス信号を有し、前記１組のアドレス信号の各アドレス信号がサブベクトルとアドレスである２つの異なる部分を有する、制御フレームのアドレス・フィールド；
各サブベクトルが前記制御フレーム内のデータ・パケットの位置を示すバイナリ値を有する、サブベクトル；
各アドレスが前記データ・パケットに関連する複数の選択呼無線機のうちの１つを示す、アドレス；および
前記情報フィールドが前記アドレス・フィールドの後に続き、１組のデータ・パケットを有しており、前記１組のデータ・パケット内の各データ・パケットが前記制御フレーム内の少なくとも１つのサブベクトルの前記バイナリ値によって示される前記データ・パケットの開始位置を有し、前記１組のデータ・パケット内の各データ・パケットがベクトル・パケットおよびショート・メッセージ・パケットのうちどちらか一方であり、ベクトル・パケットが前記複数の制御フレームおよびデータ・フレーム内のロング・メッセージの開始位置を示し、前記選択呼無線機が：
前記無線信号を受信する受信機；
前記受信機に結合されて、前記無線信号内に受信された制御フレームの前記アドレス・フィールド内の第１アドレス信号の中に第１アドレスが存在することを判定するアドレス・デコーダであって、このとき前記第１アドレスが前記選択呼無線機に割り当てられた埋込アドレスに一致する、アドレス・デコーダ；
前記受信機および前記アドレス・デコーダに結合されて、前記第１アドレス信号の部分である第１サブベクトルの前記バイナリ値を判定するサブベクトル要素；
前記サブベクトル要素に結合されて、前記第１サブベクトルの前記バイナリ値により決定される第１データ・パケットの開始位置を解読するデータ・パケット位置デコーダ；
前記受信機および前記データ・パケット位置デコーダに結合されて、前記データ・パケットの前記開始位置において前記第１データ・パケットを回復するデータ・パケット・バッファであって、前記第１データ・パケットは可変長であるもの；
前記データ・パケット・バッファに結合されて、前記第１データ・パケットがベクトル・パケットであるときに第１ロング・メッセージの開始位置を解読するプロトコル位置デコーダ；および
前記受信機および前記プロトコル位置デコーダに結合されて、前記第１ロング・メッセージの前記開始位置において始まる前記第１ロング・メッセージを処理するロング・メッセージ・プロセッサ；
を具備することを特徴とする選択呼無線機。
【請求項３】
前記複数の制御フレームおよびデータ・フレームが所定の時刻に周期的に送信され、前記選択呼無線機が電力モードを有し、無線信号を受信する通常電力モードと、無線信号を受信することはできない低電力モードとに、前記電力モードを設定する電力モード・コントローラを有する選択呼無線機であって、前記電力モード・コントローラが：
前記受信機に結合されて、所定の制御フレームの始点において前記電力モードを前記通常電力モードに設定する制御フレーム識別装置であって、前記所定の制御フレームには、前記選択呼無線機に宛てられた前記第１ロング・メッセージが所定の期間内に送信されるようスケジュールが決定される場合に、前記アドレス・フィールド内に前記選択呼無線機のアドレスを含む制御フレーム識別装置；
前記アドレスデコーダに結合されて、前記所定の制御フレームの前記アドレス・フィールド内に存在するアドレスが前記埋込アドレスに一致することが判定されると、前記電力モードを前記低電力モードに設定するアドレス・スイッチ；
前記受信機および前記アドレス要素に結合されて、前記所定の制御フレームの前記アドレス・フィールド内に存在するアドレスが前記埋込アドレスに一致しないことが判定されると、アドレス・フィールドの受信後に前記電力モードを前記低電力モードに設定するアドレス・フィールド・スイッチ；および
前記受信機，前記プロトコル位置デコーダおよび前記データ・パケット位置デコーダに結合されて、前記第１ロング・メッセージの開始位置において、前記電力モードを前記通常電力モードに設定するメッセージ・スイッチ；
を具備することを特徴とする請求項２記載の選択呼無線機。
【請求項４】
前記第１データ・パケットがデータ・パケット長を有し、前記第１ロング・メッセージがロング・メッセージ長を有し、前記メッセージ・スイッチが、前記第１データ・パケットの前記開始位置において前記通常電力モードに切り換え、前記データ・パケット長と同等の期間の後で前記低電力モードに切り換え、前記第１ロング・メッセージの前記ロング・メッセージ長と同等の期間の後で、前記低電力モードに切り換えることを特徴とする請求項３記載の選択呼無線機。
【請求項５】
前記選択呼無線機が複数の無線チャネルの内の少なくとも１つによって無線信号を受信するもので、前記第１データ・パケットを含む前記制御フレームが第１無線チャネル上に送信され、前記第１ロング・メッセージを含むフレームが第２無線チャネル上に送信され、前記選択呼無線機が、前記第１ロング・メッセージを受信する前に、前記第１無線チャネルから前記第２無線チャネルに切り換えるチャネル・セレクタをさらに具備することを特徴とする請求項２記載の選択呼無線機。
【請求項６】
複数の無線チャネルの内の第１無線チャネル上に送信される無線信号を生成するシステム・コントローラ内で用いられる方法であって、前記無線信号は、複数の制御フレームおよびデータ・フレームに含まれ、それぞれがアドレス信号と、関連するメッセージ情報とを有するショート・メッセージおよびロング・メッセージを有する場合に、この方法が：
１組のアドレス信号を有する制御フレームのアドレス・フィールドを生成する段階であって、前記１組のアドレス信号の各アドレス信号がアドレスとサブベクトルである２つの異なる部分を有し、各アドレスが前記ショート・メッセージおよび前記ロング・メッセージのうち１つが宛てられる複数の選択呼無線機の１つを示し、各サブベクトルが前記制御フレーム内のデータ・パケットの開始位置を示すバイナリ値を有する段階；
前記アドレス・フィールドに続いて、１組のデータ・パケットを有する前記制御フレーム内に情報フィールドを生成する段階であって、前記１組のデータ・パケットの各データ・パケットが前記制御フレーム内の少なくとも１つのサブベクトルの前記バイナリ値によって示される前記データ・パケットの前記開始位置を有し、前記各データ・パケットは可変長であり、前記１組のデータ・パケットの各データ・パケットが、ベクトル・パケットおよびショート・メッセージ・パケットのうちのいずれか一方であり、ベクトル・パケットが前記複数の制御フレームおよびデータ・フレーム内のロング・メッセージの開始位置を示す段階；
アドレス・フィールドおよび情報フィールドによって構成される各制御フレームを組み立てる段階；
１組のロング・メッセージによって構成される各データ・フレームを組み立てる段階であって、前記１組のロング・メッセージの各ロング・メッセージが制御フレーム内の少なくとも１つのベクトル・パケットによって示される開始位置を有する段階；および
前記制御フレームおよびデータ・フレームを送信機に転送して無線送信する段階；
を具備することを特徴とする方法。
【請求項７】
前記情報フィールドを生成する前記段階において、前記データ・パケット長の指示が各データ・パケットに含まれ、前記サブベクトルの前記バイナリ値により示される前記開始位置が前記データ・パケットの開始位置であることを特徴とする請求項６記載の方法。
【請求項８】
複数の無線チャネルの内の第１無線チャネル上に送信される無線信号を生成するシステム・コントローラであって、前記無線信号は複数の制御フレームおよびデータ・フレームに含まれ、前記それぞれのショート・メッセージおよびロング・メッセージアドレス信号と、関連するメッセージ情報とを有するシステム・コントローラが：
アドレス・フィールドおよび情報フィールドによって構成される各制御フレームを組み立てる制御フレーム要素；
前記ショート・メッセージおよび前記ロング・メッセージを格納する発信メッセージ・メモリに結合され、前記制御フレーム要素に結合されて、１組のアドレス信号を有する制御フレームのアドレス・フィールドを生成するアドレス・フィールド要素であって、前記１組のアドレス信号の各アドレス信号が、アドレスとサブベクトルである２つの異なる部分を有し、各アドレスが前記ショート・メッセージおよび前記ロング・メッセージのうち１つが宛てられる選択呼無線機を示し、各サブベクトルが前記制御フレーム内のデータ・パケットの開始位置を示すバイナリ値を有するアドレス・フィールド要素；
前記発信メッセージ・メモリ，前記アドレス・フィールド要素および前記制御フレーム要素に結合されて、前記アドレス・フィールドに続いて、１組のデータ・パケットを有する制御フレーム内に情報フィールドを生成する情報フィールド要素であって、前記１組のデータ・パケットの前記各データ・パケットが、前記制御フレーム内の少なくとも１つのサブベクトルのバイナリ値によって示される前記データ・パケットの前記開始位置を有し、前記各データ・パケットは可変長であり、前記１組のデータ・パケットの各データ・パケットが、ベクトル・パケットおよびショート・メッセージ・パケットのうちのいずれか一方であり、ベクトル・パケットが前記複数の制御フレームおよびデータ・フレーム内のロング・メッセージの開始位置を示す情報フィールド要素；
前記情報フィールド要素に結合されて、１組のロング・メッセージによって構成される各データ・フレームを組み立てるデータ・フレーム要素であって、前記１組のロング・メッセージの各ロング・メッセージが制御フレーム内の少なくとも１つのベクトル・パケットによって示される開始位置を有するデータ・フレーム要素；および
前記データ・フレーム要素および前記制御フレーム要素に結合されて、前記制御フレームおよびデータ・フレームを送信機に転送して無線送信をするセル・サイト・コントローラ；
を具備することを特徴とするシステム・コントローラ。
【請求項９】
前記アドレス・フィールド要素および前記データ・フレーム要素に結合されて、各制御フレームおよびデータ・フレームに関連する前記複数の無線チャネルのうち１つを識別するチャネル割当要素であって、前記情報フィールド要素が、前記ロング・メッセージと関連する前記複数の無線チャネルのうち１つの識別子を各ロング・メッセージの前記開始位置内に含むチャネル割当要素をさらに具備することを特徴とする請求項８記載のシステム・コントローラ。
【請求項１０】
前記情報フィールド要素が、各データ・パケット内に前記データ・パケットの長さの指示を含み前記サブベクトルの前記バイナリ値によって示される前記位置が前記データ・パケットの開始位置であることを特徴とする請求項９記載のシステム・コントローラ。
【発明の詳細な説明】
技術分野
本発明は、一般に、無線信号内に通信される情報を編成および回復するための方法および装置に関し、特に、メッセージが宛てられる選択呼無線機のアドレスを含む無線信号とは異なる無線チャネル上に送信される無線信号内にメッセージが含まれる場合に、無線信号内のメッセージの位置を識別するための改善された技術に関する。
発明の背景
無線通信システム内のページャなど、選択呼無線機に対する通信のための情報を編成する既知の技術は、フレームなどの送信サイクルの所定部分であって、アドレス・フィールド内の送信サイクルの所定部分の始めに、それに宛てたメッセージ情報が含まれる選択呼無線機のアドレスを、選択呼無線機に宛てたメッセージ情報とは別に配置することである。この方法は、送信サイクルの所定部分内に情報をもたない無線機が、アドレスがアドレス・フィールド内にないことを判定するとすぐに、低電力モードに迅速に戻ることができるので、選択呼無線機のバッテリ寿命を改善するという利点を有する。
アドレスが送信サイクルの所定部分の始めにある場合は、選択呼無線機がそれに宛てられたメッセージ情報を回復するためには、メッセージ情報の位置を選択呼無線機が判定しなければならない。情報の位置を判定する方法は、イリノイ州シャンバーグのモトローラ社の周知のFLEXプロトコル内で用いられる。このプロトコルにおいては、送信サイクルの所定部分内のメッセージ情報の開始位置は、ベクトルに関わるアドレスの長さおよび位置により、１対１の関係を基に長さおよび位置を有するベクトルにより示される。このプロトコルは、充分良好に機能するが、制約がある。その１つは、チャネル構造が高度になるに従って、ベクトル内で必要とされる情報量が、関連するアドレスより長いベクトルを必要とすることである。もう１つの制約は、メッセージ情報が、送信サイクルの同じ所定部分内になければならないということである。この後者の制約は、部分的には、FLEXプロトコル内のアドレス長に対応するために、ベクトル長が制限されるために起こる。
かくして、無線通信システム内でメッセージ情報を編成するための改善された技術が必要とされる。
発明の概要
従って、本発明の第１局面において、第１無線チャネル上に送信される無線信号を受信する方法が選択呼無線機内で用いられる。この無線信号は、複数の制御フレームおよびデータ・フレームに含まれる複数のメッセージを有し、複数のメッセージの各々がアドレス信号と関連するメッセージ情報とを有する。各制御フレームは、アドレス・フィールドおよび情報フィールドを備える。制御フレームのアドレス・フィールドは、１組のアドレス信号を有する。１組のアドレス信号の各々は、制御フレーム内のデータ・パケットの位置と、データ・パケットに関連する複数の選択呼無線機の１つとをそれぞれ示す、サブベクトルとアドレスとを備える。アドレス・フィールドの後には情報フィールドが続き、これは１組のデータ・パケットを有する。１組のデータ・パケット内の各データ・パケットは、制御フレーム内で少なくとも１つのサブベクトルによって示されるデータ・パケットの位置を有する。１組のデータ・パケット内の各データ・パケットは、ベクトル・パケットおよびショート・メッセージ・パケットのうち１つである。ベクトル・パケットは、複数の制御フレームおよびデータ・フレーム内のロング・メッセージの開始位置を示す。
本方法は：無線信号を受信する段階；第１アドレスが選択呼無線機に割り当てられた埋込アドレスに一致する場合に、無線信号内で受信された制御フレームのアドレス・フィールドにおける第１アドレスの存在を判定する段階；第１アドレスに含まれる第１サブベクトルを判定する段階；第１サブベクトルにより示される第１データ・パケットの開始位置を解読する段階；第１データ・パケットの開始位置にある第１データ・パケットを回復する段階；第１データ・パケットがベクトル・パケットであるときに、第１ロング・メッセージの開始位置を解読する段階；および第１ロング・メッセージの開始位置で始まる第１ロング・メッセージを処理する段階；によって構成される。
従って、本発明の第２局面において、第１無線チャネル上に送信される無線信号を受信するために選択呼無線機が用いられる。この無線信号は、複数の制御フレームおよびデータ・フレームに含まれる複数のメッセージを有する。複数のメッセージの各々は、アドレス信号と関連するメッセージ情報とを有する。各制御フレームは、アドレス・フィールドと情報フィールドとを有する。制御フレームのアドレス・フィールドは、１組のアドレス信号を有する。１組のアドレス信号の各々は、制御フレーム内のデータ・パケットの位置と、データ・パケットに関連する複数の選択呼無線機の１つとをそれぞれ示す、サブベクトルとアドレスとを備える。アドレス・フィールドの後には情報フィールドが続き、これは１組のデータ・パケットを有する。１組のデータ・パケット内の各データ・パケットは、制御フレーム内で少なくとも１つのサブベクトルによって示されるデータ・パケットの開始位置を有する。１組のデータ・パケット内の各データ・パケットは、ベクトル・パケットおよびショート・メッセージ・パケットのうち１つである。ベクトル・パケットは、複数の制御フレームおよびデータ・フレーム内のロング・メッセージの開始位置を示す。
選択呼無線機は、受信機，アドレス・デコーダ，サブベクトル要素，データ・パケット位置要素，データ・パケット・バッファ，プロトコル位置デコーダおよびロング・メッセージ・プロセッサを備える。アドレス・デコーダは、受信機に結合され、第１アドレスが選択呼無線機に割り当てられる埋込アドレスに一致する場合に、無線信号内に受信される制御フレームのアドレス・フィールドにおける第１アドレスの存在を判定する。サブベクトル要素は、受信機およびアドレス・デコーダに結合され、アドレス・フィールド内にある第１アドレスに関連する第１サブベクトルを判定する。データ・パケット位置デコーダは、サブベクトル要素に結合され、第１サブベクトルによって示される第１データ・パケットの開始位置を解読する。データ・パケット・バッファは、受信機およびデータ・パケット位置デコーダに結合され、データ・パケットの開始位置において、第１データ・パケットを回復する。プロトコル位置デコーダは、データ・パケット・バッファに結合され、第１データ・パケットがベクトル・パケットである場合に、第１ロング・メッセージの開始位置を解読する。ロング・メッセージ・プロセッサは、受信機およびプロトコル位置デコーダに結合され、ロング・メッセージの開始位置において第１ロング・メッセージを処理する。
従って、本発明の第３局面においては、第１無線チャネル上に送信される無線信号を生成する方法がシステム・コントローラ内で用いられる。この無線信号は、複数の制御・フレームおよびデータ・フレームに含まれるショート・メッセージおよびロング・メッセージを有する。ショート・メッセージおよびロング・メッセージは、それぞれ、アドレス信号と、関連するメッセージ情報とを有する。
本方法は：各アドレス・フィールドを生成する段階；情報フィールドを生成する段階；各制御フレームを組み立てる段階；各データ・フレームを組み立てる段階；および制御フレームとデータ・フレームとを送信機に転送して、無線送信する段階；によって構成される。各アドレス・フィールドを生成する段階においては、制御フレームの各アドレス・フィールドが、１組のアドレス信号を有して生成される。１組のアドレス信号の各々には、ショート・メッセージおよびロング・メッセージの１つが宛てられる選択呼無線機と、制御フレーム内のデータ・パケットの開始位置とをそれぞれ示すアドレスおよびサブベクトルが含まれる。情報フィールドの生成段階においては、アドレス・フィールドに続き、１組のデータ・パケットを有する情報フィールドが生成される。１組のデータ・パケットの各データ・パケットは、制御フレーム内で少なくとも１つのサブベクトルにより示されるデータ・パケットの開始位置を有する。１組のデータ・パケットの各データ・パケットは、ベクトル・パケットおよびショート・メッセージ・パケットのうち１つである。ベクトル・パケットは、複数の制御フレームおよびデータ・フレーム内のロング・メッセージの開始位置を示す。各制御フレームを組み立てる段階においては、アドレス・フィールドおよび情報フィールドを備える各制御フレームが組み立てられる。各データ・フレームを組み立てる段階においては、１組のロング・メッセージを備える各データ・フレームが組み立てられる。１組のロング・メッセージ内の各ロング・メッセージは、制御フレーム内で少なくとも１つのベクトル・パケットにより示される開始位置を有する。
従って、本発明の第４局面において、第１無線チャネル上に送信される無線信号を生成するためにシステム・コントローラが用いられる。この無線信号は、複数の制御フレームおよびデータ・フレームに含まれるショート・メッセージおよびロング・メッセージを有する。ショート・メッセージおよびロング・メッセージは、それぞれ、アドレス信号と、関連するメッセージ情報とを有する。
本システム・コントローラは、制御フレーム要素，アドレス・フィールド要素，情報フィールド要素，データ・フレーム要素およびセル・サイト・コントローラを備える。制御フレーム要素は、アドレス・フィールドおよび情報フィールドを備える各制御フレームを組み立てる。アドレス・フィールド要素は、ショート・メッセージおよびロング・メッセージを記憶する発信メッセージ・メモリに結合され、さらに制御フレーム要素にも結合されて、１組のアドレス信号を有する制御フレームのアドレス・フィールドを生成する。１組のアドレス信号の各々には、ショート・メッセージおよびロング・メッセージの１つが宛てられる選択呼無線機と、制御フレーム内のデータ・パケットの開始位置とをそれぞれ示すアドレスおよびサブベクトルが含まれる。情報フィールド要素は、発信メッセージ・メモリ，アドレス・フィールド要素および制御フレーム要素に結合され、アドレス・フィールドに続く情報フィールドを生成し、１組のデータ・パケットを有する。１組のデータ・パケットの各データ・パケットは、制御フレーム内で少なくとも１つのサブベクトルにより示されるデータ・パケットの開始位置を有する。１組のデータ・パケットの各データ・パケットは、ベクトル・パケットおよびショート・メッセージ・パケットのうち１つである。ベクトル・パケットは、複数の制御フレームおよびデータ・フレーム内のロング・メッセージの開始位置を示す。データ・フレーム要素は、情報フィールド要素に結合され、１組のロング・メッセージを含む各データ・フレームを組み立てる。１組のロング・メッセージ内の各ロング・メッセージは、制御フレーム内で少なくとも１つのベクトル・パケットにより示される開始位置を有する。セル・サイト・コントローラは、データ・フレーム要素および制御フレーム要素に結合され、制御フレームおよびデータ・フレームを送信機に転送して、無線送信を行う。
【図面の簡単な説明】
第１図は、本発明の好適な実施例による無線通信システムの電気ブロック図である。
第２図は、本発明の好適な実施例による無線通信システム内で用いられるシステム・コントローラの電気ブロック図である。
第３図，第４図および第５図は、本発明の好適な実施例による無線通信システム内の送信機により送信される無線信号に含まれるフレーム群のタイミング図である。
第６図は、本発明の好適な実施例による無線通信システム内で用いられる選択呼無線機の電気ブロック図である。
第７図は、本発明の好適な実施例によるシステム・コントローラ内で用いられる方法の流れ図である。
第８図および第９図は、本発明の好適な実施例による選択呼無線機内で用いられる方法の流れ図である。
図面の詳細な説明
第１図を参照して、本発明の好適な実施例による無線通信システム１００の電気ブロック図を示す。無線通信システム１００は、従来の交換電話網（PSTN）１０８を通じて、従来の電話リンク１１０により、システム・コントローラ１０２に接続される従来の電話機１０１などのメッセージ入力装置によって構成される。システム・コントローラ１０２は、少なくとも１つの無線周波数送信機／受信機１０３と少なくとも１つの固定システム受信機１０７との動作を、通常は撚線対電話回線である１つ以上の通信リンク１１６を通じて監督し、さらに、RF，マイクロ波またはその他の高品質のオーディオ通信リンクを含むこともできる。システム・コントローラ１０２は、着信および発信電話アドレスを、地上回線メッセージ交換コンピュータと互換性をもつ形式に符号化および解読する。システム・コントローラ１０２は、また、発信メッセージをデジタル符号化し、スケジュール決定を行う機能もある。このメッセージには、デジタル化オーディオ・メッセージ，英数字メッセージおよび応答コマンドなどの情報が含まれ、無線周波数送信機／受信機１０３によって、複数の選択呼無線機１０６に送信される。システム・コントローラ１０２は、自発的メッセージおよび応答メッセージを含めて、複数の選択呼無線機１０６から無線周波数送信機／受信機１０３および固定システム受信機１０７によって受信される着信メッセージを解読する機能もさらに有する。
応答メッセージの例に、肯定応答および被指定応答メッセージがある。被指定応答メッセージは、着信チャネル内のデータ・ユニットと呼ばれる部分内に通信される。肯定応答は、システム・コントローラ１０２で開始される発信メッセージに対する応答である。選択呼無線機１０６に宛てられる発信メッセージの例として、電話機１０１から入力されるページ・メッセージがある。肯定応答は、発信メッセージが無事に受信されたことを知らせる。被指定応答メッセージは、システム・コントローラ１０２からの発信メッセージに含まれるコマンドに応答して、選択呼無線機から送付されるメッセージである。被指定応答メッセージの例として、選択呼無線機１０６により開始されるが、システム・コントローラ１０２から応答コマンドが受信されるまでは送信されないメッセージがある。この応答コマンドは、被指定応答メッセージの送信許可を求める着信メッセージが選択呼無線機１０６からシステム・コントローラ１０２に通信された後で、システム・コントローラ１０２により送付される。応答メッセージは、好ましくは、発信メッセージまたは応答コマンド内で指定された時刻に送信されるが、代わりに、当業者には周知のALOHAプロトコルまたはスロットALOHAプロトコルなど、スケジュール決定のなされないプロトコルを用いて送信することもできる。
自発的メッセージは、応答を要求する発信メッセージを受信せずに、選択呼無線機１０６により送信される着信メッセージである。自発的メッセージの例には、無線通信システム１００に対して、選択呼無線機１０６が無線通信システム１００の無線範囲内にあることを通知する選択呼無線機１０６からの着信メッセージがある。自発的メッセージは、被指定応答の送信要求を含むことも、数値データ，FAXまたはデジタル化音声データなどのデータを含む場合もある。自発的メッセージは、ALOHAまたはスロットALOHAプロトコルを用いて送信される。発信メッセージは、無線周波数送信機／受信機１０３に結合された従来のアンテナ１０４から送信される発信無線信号に含まれる。着信メッセージは、無線周波数送信機／受信機１０３に結合された従来のアンテナ１０４と、固定システム受信機１０７に結合された従来のアンテナ１０９により受信される着信無線信号に含まれる。
システム・コントローラ１０２は、複数の無線周波数送信機／受信機１０３，従来のアンテナ１０４，１０９および固定システム受信機１０７を含む従来のセルラ，同報，衛星，マスタ／スレーブまたはその他のカバレージ法の混在を可能にして、全国網程の大きな地域内で確実に無線信号を提供する分布された送信制御環境内で動作することができることに注目されたい。さらに、当業者には理解頂けようが、電話および選択呼無線機通信システムの機能は、独立して、あるいはネットワーク内で動作する個別のシステム・コントローラ１０２内にある。
無線周波数送信機／受信機１０３は、従来の無線周波数送信機と同位置にある固定システム受信機１０７によって構成されることにも留意されたい。
単方向および双方向ページャ，従来の移動セルラ電話，移動無線データ・ターミナル，付属データ・ターミナルを有する移動セルラ電話またはデータ・ターミナルが付属された移動無線機（中継型および非中継型）などの他の選択呼無線機装置（第１図には図示せず）も、無線通信システム１内で用いることができる。以下の説明において、「選択呼無線機」という用語は、パーソナル無線電話，携帯送受信装置１０６，移動セルラ電話，移動無線データ・ターミナル，付属データ・ターミナルを有する移動セルラ電話またはデータ・ターミナルが付属された移動無線機（従来のものあるいは中継型）を指すために用いられることを理解頂きたい。無線通信システム１００内で用いるために割り当てられた各選択呼無線機は、それに割り当てられたアドレスを有し、このアドレスは一意的な選択呼アドレスである。このアドレスにより、システム・コントローラ１０２から宛先指定された選択呼無線機だけに対するメッセージの送信が可能になり、選択呼無線機からシステム・コントローラ１０２に受信されたメッセージおよび応答が識別される。さらに、１つ以上の選択呼無線機の各々には、それに割り当てられた一意的な電話番号もあり、この電話番号はPSTN１０８内で一意的である。割り当てられた選択呼アドレスと選択呼無線機に関連する電話番号のリストは、加入者データベースの形でシステム・コントローラ１０２内に記憶される。
第２図を参照して、本発明の好適な実施例によるシステム・コントローラ１０２の電気ブロック図が示される。システム・コントローラ１０２は、セル・サイト・コントローラ２０２，メッセージ・ハンドラ２０４，発信メッセージ・メモリ２０８，加入者データベース２２０，電話インタフェース２０６，チャネル割当要素２１０，アドレス・フィールド要素２１２，情報フィールド要素２１４，データ・フレーム要素２１６および制御フレーム要素２１８によって構成される。セル・サイト・コントローラ２０２は、無線周波数送信機／受信機１０３（第１図）および固定システム受信機１０７（第１図）にリンク１１６により結合される。セル・サイト・コントローラ２０２は、選択呼アドレスを含む発信メッセージを、送信機／受信機１０３に結合し、発信メッセージを含む送信サイクルを送信するよう、送信機／受信機１０３を制御する。セル・サイト・コントローラ２０２は、さらに、選択呼無線機１０６からの着信メッセージの処理も行う。着信メッセージは、送信機／受信機１０３と固定システム受信機１０７とによって受信され、セル・サイト・コントローラ２０２に結合される。メッセージの経路を決定し、処理するメッセージ・ハンドラ２０４は、電話インタフェース２０６，加入者データベース２２０および発信メッセージ・メモリ２０８に結合される。電話インタフェース２０６は、交換電話網１０８（PSTN）（第１図）の物理的接続を扱い、電話リンク１１０において電話呼の接続と切り離しとを行い、電話リンク１１０とメッセージ・ハンドラ２０４との間でオーディオ信号の経路を決定する。
加入者データベース２２０は、各選択呼無線機１０６に割り当てられた選択呼アドレスと、PSTN１０８内で用いられる電話番号との間の相関関係を含む各加入者に関する情報を記憶し、メッセージおよび電話呼の各選択呼無線機１０６に対する経路を決定すると共に、メッセージが配信から選択呼無線機１０６に戻される時間帯など、加入者により決定されたその他の優先順位を記憶する。発信メッセージ・メモリ２０８は、複数の選択呼無線機１０６のうち少なくとも１つの選択呼無線機に配信されるために待行列に入れられるメッセージの待行列を記憶するためのもので、メッセージの待行列内の各メッセージは、これも、各メッセージが宛てられる複数の選択呼無線機１０６の１つの発信メッセージ・メモリ２０８に記憶される選択呼アドレスに関連する。メッセージ・ハンドラ２０４は、発信メッセージと、それに関連する選択呼アドレスとのスケジュール決定を送信サイクル内で行う。メッセージ・ハンドラ２０４は、応答メッセージに関する応答スケジュールの決定も行い、これによって、送信機／受信機１０３と固定システム受信機１０７におけるメッセージの衝突を最小限に抑え、発信メッセージ内の応答タイミング情報を備えて、選択呼無線機１０６が応答スケジュールに従って応答できるようにする。メッセージ・ハンドラ２０４は、着信メッセージを、加入者データベース２２０内の選択呼無線機の１つに関連する応答メッセージとして識別し、応答メッセージを、発信メッセージ・メモリ２０８内の発信メッセージの１つに関連する応答メッセージとして識別する。さらに、メッセージ・ハンドラ２０４は、内容に応じて発信メッセージおよび応答メッセージを処理する。セル・サイト・コントローラ２０２，メッセージ・ハンドラ２０４，発信メッセージ・メモリ２０８，加入者データベース２２０および電話インタフェース２０６は、システム・コントローラ１０２の従来の要素である。
システム・コントローラ１０２の動作の一例として、発信メッセージ・メモリ２０８に記憶される発信メッセージの配信は、発信メッセージが目的の選択呼無線機１０６に通信され、メッセージがユーザの動作により選択呼無線機１０６のディスプレイ上に表示され、メッセージ応答が選択呼無線機１０６からシステム・コントローラ１０２に通信され、メッセージ応答が、メッセージ・ハンドラ２０４によって、発信メッセージが特に向けられた選択呼無線機１０６により生成されたユーザ肯定応答であると識別されると完了する。この例では、メッセージ・ハンドラ２０４は別のメッセージを生成し、このメッセージが発信メッセージの発信者に送られて、発信者に対してメッセージが選択呼無線機１０６により肯定応答されたことを通知する。
本発明の好適な実施例によるシステム・コントローラ１０２の独自の機能は、チャネル割当要素２１０，アドレス・フィールド要素２１２，情報フィールド要素２１４，データ・フレーム要素２１６および制御フレーム要素２１８に備わる。
アドレス・フィールド要素２１２は、加入者データベース２２０，発信メッセージ・メモリ２０８，情報フィールド要素２１４および制御フレーム要素２１８に結合される。情報フィールド要素２１４は、発信メッセージ・メモリ２０８および制御フレーム要素２１８にさらに結合される。制御フレーム要素２１８は、セル・サイト・コントローラ２０２にさらに結合される。チャネル割当要素２１０は、データ・フレーム要素２１６に結合される。アドレス・フィールド要素２１２は、発信メッセージ・メモリ２０８から近い送信サイクル内に送信されることが決定されているメッセージを回復する。アドレス・フィールド要素２１２は、回復された各メッセージに関して、（加入者データベース２２０から）関連する選択呼アドレスと、メッセージ長とを決定する。メッセージ長は、情報フィールド要素２１４に結合される。
メッセージ情報が１組の所定のショート・メッセージのうちの１つである場合、たとえば肯定応答または応答コマンドである場合、または、メッセージ情報が、この例では３ワード長である第１の所定の長さよりも短い場合は、このメッセージは情報フィールド要素２１４により制御フレーム要素２１８に結合され、ショート・メッセージ・パケットとして、制御フレーム内の開始位置において制御フレーム要素２１８により組み立てられる制御フレームの情報フィールド内に組み込まれる。制御フレーム要素２１８は、ショート・メッセージの開始位置を、アドレス・フィールド要素２１２に結合させ、アドレス・フィールド要素は、選択呼アドレスと関連し、開始位置を示すサブベクトルを生成する。１組の所定のショート・メッセージ内の各ショート・メッセージの長さは、各所定メッセージ内に示され、この例では９ワード長である第２の所定の長さより短い。本発明の好適な実施例により、たとえば、選択呼無線機１０６に対して自動反復要求を行うよう命令するショート・メッセージは、選択呼無線機１０６が再送信することを命じられている複数の所定長応答データ・パケットに応じて、４ワードないし８ワードの可変長を有する。１組の所定メッセージ内に含まれない各ショート・メッセージの長さは、制御フレーム要素２１８により各ショート・メッセージに入れられる。サブベクトルをもつ選択呼アドレスは、次に制御フレーム要素２１８に結合され、制御フレーム要素２１８によって、ショート、メッセージ・パケットが位置するのと同じ制御フレームのアドレス・フィールド内に組み込まれる。
メッセージ情報が、１組の所定のショート・メッセージのうちの１つでない場合、あるいは、第１所定長と等しいまたはそれより長い長さを有する場合、そのメッセージは情報フィールド要素２１４により、データ・フレーム要素２１６に結合されて、ロング・メッセージ・パケットとして制御フレームまたはデータ・フレームの情報フィールド内に組み込まれる。これらの制御フレームおよびデータ・フレームは、制御フレームまたはデータ・フレーム内の開始位置において、制御フレーム要素２１８またはデータ・フレーム要素２１６によりそれぞれ組み立てられるものである。制御フレーム要素２１８またはデータ・フレーム要素２１６は、制御フレームまたはデータ・フレーム内のロング・メッセージの開始位置と、ロング・メッセージの長さとを情報フィールド要素２１４に結合する。この要素２１４がベクトル・パケットを生成し、そのパケットは制御フレームの情報部分内で制御フレーム要素２１８に結合され組み込まれる。この例では６ワード長未満である第３所定長より短いベクトルは、ロング・メッセージの開始位置と長さとを示す。制御フレーム要素２１８は、制御フレーム内のベクトル・パケットの開始位置を、アドレス・フィールド要素２１２に結合する。アドレス・フィールド要素２１２は、ベクトル・パケットの開始位置を示す選択呼アドレスに関連するサブベクトルを生成する。サブベクトルを伴う選択呼アドレスは、ここで、制御フレーム要素２１８によりベクトル・パケットを含むものと同じ制御フレームのアドレス・フィールド内に組み込まれる。
無線通信システム１００が２つ以上の順方向チャネルによって構成される場合、たとえば、無線信号の同時同報に使用できる無線周波数が３つあるシステムの場合は、チャネル割当要素２１０が複数の順方向チャネルの１つで送信するためにデータ・フレームのスケジュールを決定する。この場合、データ・フレーム要素２１６は、ロング・メッセージの開始位置の一部として、データ・フレームがどのチャネル上に送信されるかという指示を、情報フィールド要素２１４に結合して、制御フレーム要素２１８により生成されるベクトル・パケット内に含める。
選択呼無線機１０６においてバッテリ寿命を改善するためには、特定の選択呼無線機１０６に宛てられたメッセージの選択呼アドレスが、送信サイクルの所定位置にある制御フレーム内に組み込まれるので、選択呼無線機１０６は、所定の制御フレームの始点において通常の電力モードに入るだけで済むことをさらに理解頂きたい。
システム・コントローラ１０２は、好ましくは、イリノイ州シャンバーグのモトローラ社により製造され、本明細書に開示される本発明の好適な実施例に応じて独自のファームウェア要素により改良されたモデルMPS2000ページング・ターミナルである。セル・サイト・コントローラ２０２，メッセージ・ハンドラ２０４，発信メッセージ・メモリ２０８，加入者データベース２２０，電話インタフェース２０６，チャネル割当要素２１０，アドレス・フィールド要素２１２，情報フィールド要素２１４，データ・フレーム要素２１６および制御フレーム要素２１８は、好ましくは、モデルMPS2000ページング・ターミナルの部分内に実現される。これには、プログラム・メモリ，中央処理装置，入力／出力周辺機器およびランダム・アクセス・メモリとなる部分などが含まれる。システム・コントローラは、あるいは、イリノイ州シャンバーグのモトローラ社により製造されるモデルE09PED0552 PageBridgeページング・ターミナルを用いて実現することもできる。また、加入者データベース２２０と発信メッセージ・メモリ２０８は、磁気または光ディスク・メモリとして実現してもよく、これらをシステム・コントローラ１０２の外付けにすることもできる。
第３図を参照して、本発明の好適な実施例による、システム・コントローラ１０２から選択呼無線機１０６にメッセージを送信するために、第１図の無線通信システムにより利用される発信信号化プロトコルの送信フォーマットの特色を示すタイミング図が示される。この信号化プロトコルは、同期発信信号化プロトコルであるFLEXプロトコルと同様のものである。信号化プロトコルは、時間３１０，サイクル３２０，フレーム３３０，ブロック３４０およびワード３５０のプロトコル部分に細分される。毎時３１０内に最高１５個の４分毎に一意的に識別されるサイクルが送信される。通常は、１５個すべてのサイクル３２０が毎時に送信される。各サイクル３２０の間に、最高１２８個の１．８７５秒毎に一意的に識別されるフレームが送信される。通常は、１２８個すべてのフレームが送信される。１１５ミリ秒継続する１つの同期信号３３１と、１１個の１６０秒毎に一意的に識別されるブロック３４０が、各フレーム３３０の間に送信される。毎秒１６００ビット（bps），３２００bpsまたは６４００bpsのビット速度が、各フレーム３３０の間に使用可能である。各フレーム３３０のビット速度は、同期信号３３１の間に選択呼無線機１０６に通信される。ビット速度が１６００bpsのとき、８個の３２ビットに一意的に識別されるワード３５０が、各ブロック３４０の間に送信される。ビット速度が３２００bpsまたは６４００bpsのときは、それぞれが３２個の一意的に識別されるビットを有する１６個の一意的に識別されるワードまたは３２個の一意的に識別されるワードがそれぞれ、各ブロック３４０に含まれる。各ワード内には、当業者には周知の方法で、少なくとも１１個のビットがエラー検出と修正のために、当業者には周知の方法で、２１ビット以下が情報のために用いられる。ワードによっては、１５ビットがエラー検出と修正に用いられ、１７ビットが情報に用いられる。各ブロック３４０内のビットおよびワード３５０は、当業者には周知の技術を用いる挟み込み方式で送信され、プロトコルのバースト・エラー修正機能を高める。第２図に関連してシステム・コントローラ１０２の解説内で上述された送信サイクルはサイクル３２０によって構成される。
フレーム３３０は、さらに、フレーム３３０内にある情報により、２つの特殊な種類の１つとして定義される。第１種類のフレーム３３０は、制御フレーム３６０である。第２種類のフレーム３３０は、データ・フレーム３７０である。
情報は、フィールド内の各制御フレーム３６０に含まれ、システム情報フィールド（SI）３３２内のシステム情報，アドレス・フィールド（AF）３３３内のサブベクトルを有する１つ以上の選択呼アドレス，１組のベクトル・パケットのうちの１つ以上，情報フィールド（IF）３３５内のショート・メッセージ・パケットおよびロング・メッセージおよびその中に有用な情報をもたない未使用フィールド３３６によって構成される。制御フレーム３６０の情報フィールド３３５内の各ベクトル・パケットおよびショート・メッセージ・パケットは、同じ制御フレーム３６０のアドレス・フィールド３３３内の少なくとも１つのアドレスに対応する。情報フィールド３３５内の各ロング・メッセージは、少なくとも１つ以上の制御フレーム３６０の情報フィールド３３５内の少なくとも１つのベクトル・パケットに対応する。フィールド３３２，３３３，３３５，３３６の境界は、ブロック３４０でなくワード３５０によって定義され、フィールド３３２，３３３，３３５，３３６の長さは、システム情報フィールド３３２に含まれるシステム情報の種類，使用されるアドレスの種類および各メッセージ内の情報量などの要因に依存して可変する。特に、アドレス・フィールド３３３と情報フィールド３３５との間の境界は、アドレス・フィールド境界３３４と呼ばれる。このため、各フィールド３３２，３３３，３３５，３３６の長さは、ブロック３４０より短いことも長いこともある。未使用フィールド３３６は、他のフィールド３３２，３３３，３３５の長さの合計が１１ブロック３４０に等しい場合は、ゼロ長となりうる。特定の選択呼無線機１０６に宛てられたベクトル・パケットとショート・メッセージはすべて、好ましくは、各サイクル３２０の１つ以上の所定のフレーム３３０内で送信されるようスケジュール決定され、ショート・メッセージおよびベクトルが特定の選択呼無線機１０６に関して含まれない場合は他のフレームの間は、その特定の選択呼無線機１０６が、低電力モードに入ることができるようにする。
情報はフィールドの各データ・フレーム３７０内に含まれ、システム情報フィールド（SI）３３２内のシステム情報，情報フィールド（IF）３３５内のロング・メッセージおよびその中には有用な情報をもたない未使用フィールド３３６によって構成される。情報フィールド３３５内の各ロング・メッセージは、少なくとも１つ以上の制御フレーム３６０の情報フィールド３３５内の少なくとも１つのベクトル・パケットに対応する。フィールド３３２，３３５，３３６の境界は、ブロック３４０ではなくワード３５０によって定義され、フィールド３３２，３３５，３３６の長さは、システム情報フィールド３３２に含まれるシステム情報の種類およびロング・メッセージ内の情報量などの要因に依存して可変する。
ベクトルは、上述のプロトコル分割に関してロング・メッセージの開始ワードを特定する情報を含み、さらに、無線チャネル周波数，無線チャネル周波数からのサブチャネル・オフセット，側帯波，同相または直角チャネルなどの無線チャネル情報を含む。ロング・メッセージ，ショート・メッセージ，またはベクトル・パケットの開始位置および長さが、ロング・メッセージ，ショート・メッセージまたはベクトル・パケットのプロトコル位置を定義する。プロトコル位置は、異なる無線チャネル上にあっても、プロトコルの異なる分割区分（すなわちサイクル，フレーム，ブロック）内にあってもよい。
選択呼無線機１０６が制御フレーム３６０内に、サブベクトルを伴うアドレスを検出すると、選択呼無線機１０６は、通常はサブベクトルにより、制御フレーム３６０内のベクトル・パケットまたはショート・メッセージ・パケットの１つを受信するよう命令される。このとき、サブベクトルを伴うアドレスが検出される。（場合によっては、アドレスには、制御フレーム３６０内で位置指示のために用いられないサブベクトル・ビットの所定パターンの形で選択呼無線機１０６に伝えられる必要のあるすべての情報が含まれることもあるが、むしろ、情報内容の少ない限られた数のメッセージに関する場合である。この例としては、選択呼無線機１０６からの着信メッセージに対する肯定応答がある。）
選択呼無線機１０６が、制御フレーム３６０内でその選択呼アドレスに関連するベクトル・パケットを解読すると、選択呼無線機１０６は、同一の制御フレーム３６０または別の制御フレーム３６０またはデータ・フレーム３７０内のロング・メッセージを受信解読することを命令される。選択呼無線機がロング・メッセージを受信しようとするフレーム３３０は、選択呼無線機１０６がサブベクトルを伴うそのアドレスを検出する第１無線チャネル、または選択呼無線機がサブベクトルを伴うアドレスを検出するチャネルとは異なる第２チャネルのいずれかで送信される無線信号内にある。
第４図を参照して、本発明の好適な実施例により第１図の無線通信システムにより利用される発信信号化プロトコルの制御フレーム３６０の一部分を示すタイミング図が示される。この図には、同期信号３３１と、システム情報フィールド３３２と、アドレス・フィールド３３３と、情報フィールド３３５の一部分とが図示される。３つのアドレス４１０，４１１，４１２と、３つのデータ・パケット４２０，４２１，４２２と、第１ロング・メッセージ４３２と、第２ロング・メッセージ４３０と、Ｎ番目のロング・メッセージ４３１とが第４図には図示される。３つのデータ・パケット４２０，４２１，４２２は、２つのベクトル・パケット４２０，４２１とショート・メッセージ・パケット４２２とを含む。アドレス４１０，４１１，４１２は、選択呼無線機１０６のサブベクトルを伴うアドレスである。各アドレス４１０，４１１，４１２は、２個のワード（それぞれ３２ビット）によって構成され、同一の制御フレーム３６０内のベクトル・パケットまたはショート・メッセージ・パケットの開始位置を示す８ビットのサブベクトル情報を含む。位置は、アドレス境界３３４からのワード数により示される。各サブベクトルについて８個のビットを用いることにより、サブベクトルは、アドレス境界３３４から最大２５６個のワードのデータ・パケット開始位置を示すことができることが理解頂けよう。１つのフレーム内で最高のデータ速度で送付されるワードの総数は、３５２ワードで、システム情報フィールド３３２およびアドレス・フィールド３３３に通常の情報が含まれるとすると、きわめてまれな場合を除き、サブベクトルはフレームの終点において、最悪の場合でも（最も短くて）１つのロング・メッセージを指し示すことができる。同様のプロトコルにおいてサブベクトルのために確保されるビット数は、プロトコル分割区分の正確な定義に依存して、これより多くなる場合も少なくなる場合もあることを理解頂きたい。
３つのデータ・パケット４２０，４２１，４２２は、それぞれ３つのアドレス４１０，４１１，４１２と関係する。アドレス４１０，４１１，４１２のいずれかに関係するデータ・パケット４２０，４２１，４２２について寸法上の制約はないが、データ・パケット４２０，４２１，４２２は、６ワード未満であることが好ましい。システム・コントローラ１０２は、好ましくは、ベクトル・パケットを用いて、制御フレーム内のロング・メッセージ数を最小限に抑え、それにより無線信号の各サイクル内で必要とされる制御フレーム３６０の平均数を減らし、無線通信システム１００内のメッセージ処理能力の効率を改善し、選択呼無線機１０６のバッテリ寿命を改善する。また、制御フレーム３６０に用いられる無線チャネル以外の無線チャネル上にロング・メッセージを送ることができるようにする。このため、ロング・メッセージの開始位置が（異なるサイクル内の別の無線チャネルのサブチャネルのように）複雑な場合には、単純な状況に比べて、長いベクトル・パケット４１０，４２１がよい。データ・パケットは、少量の情報を伝えるために用いられる。これには、選択呼無線機１０６に対して指定された開始位置において指定された着信無線チャネル上の情報に応答することを命令するメッセージや、残りのメッセージ・メモリ量など選択呼無線機１０６から情報を要求するメッセージなど、反復して用いられる所定のメッセージが含まれる。
対応するデータ・パケット４２０，４２１，４２２をもつアドレス４１０，４１１，４１２に関連する情報フィールド３３５内には、一意的に順序を付けられた１対１の位置対応関係は存在しない。ベクトル・パケット４２０，４２１の各々は、必ずしも同一の制御フレーム３６０内ではなく、ロング・メッセージの開始位置と長さとを識別する情報を有し、各ベクトル・パケットは、同一の制御フレーム３６０内で１つ以上の各アドレス４１０，４１１，４１２と関連する。開始位置は、ロング・メッセージの開始ワードにより識別される。たとえば、ベクトル・パケット４２０は、選択呼アドレス４１１を有する選択呼無線機１０６に宛てられ、フレーム３６０の第０番目ブロック３４１の３１番目のワード３５０で開始し、３２ワード長である第２番目のメッセージ４３０を示す情報を有する。１つ以上の制御フレーム３６０のアドレス・フィールド３３３内に２つの選択呼無線機１０６の各々のアドレスを組み込み、同一のロング・メッセージ位置を示す各アドレスに関連するベクトル・パケットを有することにより、ロング・メッセージを、２つ以上の選択呼無線機１０６、たとえば２つの選択呼無線機１０６に通信することができる。あるいは、同一の制御フレーム３６０内の２つ以上のアドレスが、１つのロング・メッセージを示す同一のベクトル・パケットを示すように設定されたサブベクトルを有することもある。上記の挟み込みにより、説明されるプロトコルにおけるアドレスまたはベクトルまたはメッセージの開始位置（すなわち開始ワード）は、必ずしも逐次的タイミング位置にないことを理解頂きたい（たとえば、ブロック３４０内のワード７の全ビットがワード８の全ビットに先行するわけではない）。これは、ワードのビットが挟み込まれるためであるが、それでも開始位置は独自の識別子である。
選択呼無線機１０６のアドレス・ビットと共に短い８ビットのサブベクトルを埋め込んで、それぞれがサブベクトルを含み、選択呼無線機１０６を制御フレーム３６０内のショート・メッセージ・パケットまたはベクトル・パケットのうちいずれか一方の開始位置に向けるために用いられるアドレス４１０，４１１，４１２を生成し、このときベクトル・パケットは選択呼無線機１０６に対して任意のプロトコル位置にある現在のまたは他の制御フレーム３６０またはデータ・フレーム３７０内にロング・メッセージを受信することを命令することができるが、このサブベクトルを埋め込むことにより、システム・コントローラ１０２が、かなりの自由度をもつことができ、それにより情報を組み立てて送信するための従来の方法と比べて、メッセージのスケジュール決定およびチャネルのパッキングの効率を改善することができることを、当業者には理解頂けよう。
さらに、従来のシステムに見られるアドレスとの所定の関係から自由になり、さらに可変長を有することができるデータ・パケットを独自に用いることで、繰り返し用いられる所定のショート・メッセージの数を増大させ、大きな無線通信システム１００のプロトコル設計に汎用性を与え、なおかつ古いモデルの選択呼無線機１０６と互換性を保つことができることを理解頂けよう。
第５図を参照して、本発明の好適な実施例による第１図の無線通信システムにより利用される発信信号化プロトコルのサイクル３２０の部分を示すタイミング図を示す。第１無線チャネル上で信号５２４内に送信される制御フレーム３６０において、この図は、同期信号３３１，システム情報フィールド３３２，サブベクトル５２５を伴う４つのアドレス５２２を含むアドレス・フィールド３３３および情報フィールド３３５（第５図では識別されない）の一部を示す。ベクトル・パケット５１６，ショート・メッセージ・パケット５１８およびロング・メッセージ５２０が、制御フレーム３６０の情報フィールド３３５内に図示される。第５図の図は、第１無線チャネル上に送信される第１信号５２４と、第１信号５２４と同期して第２無線チャネル上に送信される第２信号５２６とを図示する。第１信号５２４および第２信号５２６は両方とも、システム・コントローラ１０２により決定される制御フレーム３６０および／またはデータ・フレーム３７０を備える。ベクトル・パケット５１６およびショート・メッセージ・パケット５１８の開始位置の、同一制御フレーム３６０内および同一無線チャネル５２４内のサブベクトル５２５による指示は、矢印線５０２により表される。ロング・メッセージ５２０の開始位置の、第１信号５２４に含まれるベクトル・パケット５１６または先行する制御フレーム３６０に含まれるベクトル・パケット５１６による指示は、矢印線５０４により表される。第１信号５２４内に示されるデータ・フレーム３７０は、フレーム同期３３１，システム情報３３２およびロング・メッセージ５２０を含む。第２信号５２６に関連する２つのフレームは、制御フレーム３６０でもデータ・フレーム３７０でもよい。ここでの説明のために、図示されるフレーム３３０の内容は、同期信号３３１およびロング・メッセージ５２０だけである。
選択呼無線機１０６が、記憶したフレームを処理して、選択呼無線機１０６に宛てられた情報を回復する前に、２つ以上のフレーム３３０を記憶する機能をもつ場合は、システム・コントローラ１０２は、ロング・メッセージ５２０のプロトコル位置を示すベクトル・パケットを含む制御フレーム３６０の前または後に送信されるフレーム３３０内にロング・メッセージ５２０を入れることができることを理解頂きたい。さらに、各サブベクトルはベクトル・パケットおよびショート・メッセージ・パケットのいずれか一方の開始位置を示し、ベクトル・パケットおよびショート・メッセージ・パケットの各々の位置を、２つ以上のサブベクトルで示すことができることも理解頂けよう。同様に、各ベクトルは、ロング・メッセージの開始位置を示し、各ロング・メッセージの位置は２つ以上のベクトルで表すことができる。これにより、各アドレスに１つのベクトルを必要とする従来のシステムより処理能力の効率が上がる。
さらに、ベクトル・パケットはベクトル・パケットが参照するロング・メッセージの種類とプロトコル位置とに依存して種々の長さを有することも理解頂けよう。たとえば、１６進データまたはバイナリ・データを含むロング・メッセージは、通常、選択呼無線機１０６内でロング・メッセージを処理する際に用いられる暗号化および圧縮技術を特定する情報の配信をベクトル・パケット内に必要とする。単純な英数字ロング・メッセージ・フィールドは、このような情報を必要としないので、それに関わるベクトル・パケットはもっと短くてすむ。さらに、逆方向チャネル送信またはその他の応答が、順方向チャネル・メッセージが宛てられる選択呼無線機１０６に必要とされるか否かにより、ベクトル・パケットの長さが変わる。
ロング・メッセージに含まれる実際のメッセージ・データを、ロング・メッセージの経路を決定し処理するために必要とされる可変量の情報（この可変量の情報は可変長ベクトル・パケットに含まれる）から切り離す機能は、本発明により提供される利点である。可変長ベクトル・パケットによって、メッセージ情報を受信する選択呼無線機１０６と、メッセージ送信をフォーマット化し、そのスケジュールを決定するシステム・コントローラ１０２の両方において、ソフトウェア構築が汎用性をもち、容易になる。
第６図を参照して、本発明の好適な実施例による発信メッセージ化機能を有する選択呼無線機１０６の電気ブロック図が図示される。選択呼無線機１０６は、無線信号を傍受し送信するアンテナ６８０を具備する。傍受された信号６２５は、この例では、第５図に図示される制御フレーム３６０を含む。これは所定のプロトコル位置で送信され、選択呼無線機１０６の選択呼アドレス５３１を含む。さらにこの例では、ロング・メッセージ５３４（第５図）が、選択呼無線機１０６による受信を目的とする第２信号５２６（第５図）内のデータ・フレーム３７０に含まれる。ロング・メッセージ５３４は、ディスプレイ６５０に表示されることを目的とするテキスト・メッセージである。アンテナ６８０は、従来の受信機６１０および従来の送信機６８５に結合される。受信機６１０および送信機６８５は、コントローラ６３５に結合される。コントローラ６３５は符号メモリ６４０，ディスプレイ６５０，警告装置６６０および１組のスイッチ６７０に結合される。コントローラ６３５は、アドレス・デコーダ６３１，サブベクトル要素６３２，データ・パケット位置デコーダ６３３，データ・パケット・バッファ６３４，プロトコル位置デコーダ６３６，ショート・メッセージ・プロセッサ６３７，ロング・メッセージ・プロセッサ６３８，チャネル・セレクタ６３９および電力モード・コントローラ６５１によって構成される。電力モード・コントローラ６５１は、制御フレーム識別装置６５２，アドレス・スイッチ６５３，アドレス・フィールド・スイッチ６５４およびメッセージ・スイッチ６５５によって構成される。サイクル３２０内の所定プロトコル位置において制御フレーム３６０の同期信号３３１を受信する直前に、制御フレーム識別装置６５２が、選択呼無線機１０６の電力モードを通常の電力状態に切り換え、これで受信機６１０は無線信号の受信を開始する。被傍受信号６２５は、受信機６１０に結合され、ここで被傍受信号６２５が受信され、オフ・チャネル周波数における望ましくないエネルギを除去するための濾波と、被濾波信号の増幅と、信号６２５の周波数変換と、信号６２５の復調が従来の方法で行われる。それにより、受信機６１０は、被復調信号６１４を生成し、これがコントローラ６３５に結合される。被復調信号６１４は、アドレス・デコーダ６３１，サブベクトル要素６３２，データ・パケット・バッファ６３４，ロング・メッセージ・プロセッサ６３８，メッセージ・スイッチ６５５および制御フレーム識別装置６５２に結合される。
被復調信号６１４は、この例のフレーム３６０，３７０においてデータ符号の形で送信される情報を備え、これには信号の無線通信の間にエラーが導入された可能性のあるロング・メッセージ５３４が含まれる。コントローラ６３５は、被復調信号６１４内に所定の発信データ速度で受信されたデータ符号からビットを回復し、バイナリ情報の解読を行い、当業者には周知のエラー修正検出技術を用いて、アドレス・フィールド３３３，データ・パケットおよびデジタル・ロング・メッセージなどのフレーム３６０，３７０のデジタル部分を回復する。コントローラ６３５は、ローカル・アドレス（無線通信システム１００の「ホーム」部分で用いられる），「移動中」アドレス（無線通信システム１００の別の部分で用いられる）およびグループ・アドレス（他の「ホーム」選択呼無線機１０６と共有される）などの、選択呼無線機１０６に割り当てられた１つ以上のアドレスが記憶される符号メモリ６４０に結合される。割り当てられたアドレス（またはアドレス群）は、ここでは埋込アドレスとも呼ばれる。コントローラ６３５により、選択呼アドレス５３１（第５図）を含む制御フレーム３６０のアドレス・フィールド３３３内に、ほとんどエラーがない状態であることが判定されると、コントローラ６３５は、アドレス・フィールド３３３をアドレス・デコーダ６３１に結合し、アドレス・デコーダ６３１は制御フレーム３６０内の各発信選択呼アドレスを埋込アドレスと比較する。回復された制御フレーム３６０内の発信選択呼アドレスのうちアドレス境界３３４（第３図，第４図および第５図）前の任意の埋込選択呼アドレスと一致するものがない場合は、アドレス・フィールド・スイッチ６５４が選択呼無線機１０６を低電力モードに入れる。その場合、選択呼無線機１０６は無線信号を受信することができず、コントローラ６３５は、選択呼無線機１０６の選択呼アドレスを含む可能性のある所定位置において次の制御フレーム３６０が送信されるそれより遅い時刻まで、被復調信号６１４の更なる処理を停止する。
回復された制御フレーム３６０内の発信選択呼アドレスのいずれかと埋込選択呼アドレスとが一致する場合は、有効なアドレス信号がサブベクトル要素６３２に結合される。サブベクトル要素６３２は、アドレスのサブベクトル部分を回復し、それをデータ・パケット位置デコーダ６３３に結合することにより応答する。データ・パケット位置デコーダ６３３は、データ・パケット５３３（第５図）の開始位置を、アドレス境界３３４からのワード数として決定し、それをデータ・パケット・バッファ６３４に結合する。データ・パケット位置デコーダ６３３は、さらに、データ・パケット位置信号をメッセージ・スイッチ６５５に結合する。メッセージ・スイッチ６５５は、それに応答して、メッセージ・スイッチ６５５が選択呼無線機１０６を通常電力モードに切り換えるデータ・パケットの開始位置まで、選択呼無線機１０６を低電力モードに切り換える。データ・パケット５３３の期間は、データ・パケット内の情報からメッセージ・スイッチにより決定され、メッセージ・スイッチ６５５は、データ・パケットの終点において電力モードを低電力モードに切り換える。低電力モードの間は、メッセージ情報の処理は続くが、信号の受信は行われない。開始位置に応答して、データ・パケット・バッファ６３４は、データ・パケット５３３のプロトコル位置で回復されたデータ・パケットを記憶する。データ・パケット・バッファ６３４は、データ・パケットがショート・メッセージ・パケットであるかベクトル・パケットであるかを判定し、それに従って、パケット情報をショート・メッセージ・プロセッサ６３７またはプロトコル位置デコーダ６３７のいずれかに結合する。データ・パケットがショート・メッセージ・パケットである場合は、ショート・メッセージ・プロセッサ６３７がショート・メッセージパケットを処理する。たとえば、ショート・メッセージ・パケットが肯定応答メッセージであるときは、肯定応答される発信メッセージの送信サイクルを終了することによりこれを行う。ここで用いられている例の場合は、データ・パケット５３３はベクトル・パケットである。プロトコル位置デコーダ６３６は、ロング・メッセージ５３４の開始位置を解読する。このメッセージは、この例では、ロング・メッセージ５３４が制御フレーム３６０と同じフレーム位置にあるが、第２信号内５２６内にあるという指示を含む。
プロトコル位置デコーダ６３６が、チャネル・セレクタ６３９に結合される第２信号５２６のチャネル指標を生成し、ロング・メッセージ５３４の解読された開始位置をロング・メッセージ・プロセッサ６３８とメッセージ・スイッチ６５５とに結合する。メッセージ・スイッチ６５５は、選択呼無線機１０６の電力モードを通常電力モードに切り換え、チャネル・セレクタ６３９は、受信機６１０の受信周波数を第２信号の周波数に切り換え、ロング・メッセージ・プロセッサ６３８は、ベクトル・パケット５３３から判定された開始位置とロング・メッセージの長さとから判定されるプロトコル位置の間に、ロング・メッセージ５３４を回復する。ロング・メッセージの長さは、被復調信号６１４内のロング・メッセージの情報からメッセージ・スイッチにより判定される。ロング・メッセージの終点において、メッセージ・スイッチ６５５は、選択呼無線機１０６の電力モードを低電力モードに切り換える。
ロング・メッセージのベクトル・パケットは、選択呼無線機１０６に対して、信号化フォーマットが制御フレーム３６０のフォーマットとは実質的に異なる別のチャネル上にロング・メッセージを受信することを命令するために用いることができることを理解頂きたい。たとえば、選択呼無線機１０６を、上述の同期制御フレーム３６０から、POCSAG（Post Office Committee Standardization Advisory Group）フォーマット化された単方向被同期ページング信号化のみを含む無線チャネルに移動させることができる。この場合は、制御フレーム３６０に含まれるベクトルが、選択呼無線機１０６に対してPOCSAGチャネルに切り替わり、POCSAGページを受信するまで被同期POCSAG信号化フォーマットの解読を続けることを命令する。POCSAGページ受信後、選択呼無線機は再び切り替わり選択呼無線機１０６のアドレスがある制御フレーム内で同期制御チャネルの解読という通常の動作を再開する。この例では、選択呼無線機１０６は、同期制御フレーム３６０内のベクトル・パケットを介してシステム・コントローラ１０２によって、非同期POCSAG信号化フォーマットの解読を行うよう命令されなければ、それを実行しなかったことに注目されたい。
データ・パケットのプロトコル位置は全体が伝えられること、あるいは、サブベクトル内に開始位置を、データ・パケット内に長さを有する代わりに、サブベクトル内に長さを組み込むことで、サブベクトル内だけにある情報によって伝えられるが、この代替法ではより長いサブベクトルが必要になるということをさらに理解頂きたい。逆に、ロング・メッセージのプロトコル位置は、ベクトル内に開始位置を、ロング・メッセージ内に長さを組み込むだけで伝えることができ、この場合はベクトルは短くなるが、ロング・メッセージの長さ情報は通常は、ベクトル情報の実質部でないことも理解頂きたい。
コントローラ６３５は、１組のスイッチ６７０に結合され、コントローラ６３５はこのスイッチに応答して、選択呼無線機１０６の複数の動作モードを設定および制御する。選択呼無線機１０６の動作モードにより、またロング・メッセージ５３４の内容により、コントローラ６３５は、ロング・メッセージ５３４に含まれる情報をディスプレイ６５０に結合して表示し、ロング・メッセージ５３４に含まれる情報を記憶して後で表示する。これも選択呼無線機１０６の動作モードにより、検知警告装置６６０、たとえばトーン警告装置またはバイブレーション警告装置が警告信号に応答して起動される。
無線信号に含まれるロング・メッセージのうちどれでも、デジタル情報の代わりにアナログ・メッセージ情報を含むことができることを理解頂きたい。この場合、アナログ情報は、好ましくはシステム・コントローラ１０２から送信機／受信機１０３にデジタル化アナログ情報、たとえば適応差分パルス符号変調（ADPCM:adaptive differential pulse code modulated）デジタル化の形で結合される。この場合、この情報は無線信号を変調するために用いられるアナログ信号に再び変換される。選択呼無線機１０６において、アナログ被復調信号６１４は、好ましくはADPCMデジタル化され、コントローラ６３５により処理される。コントローラ６３５は、少なくとも部分的にはデジタル信号プロセッサとして実現される。アナログ・ロング・メッセージは被圧縮音声メッセージとすることもでき、この場合は、アナログ・メッセージはユーザに提示されるまで記憶される。提示時にADPCMデータは、アナログ信号に再変換され、スピーカ（第６図には図示せず）に結合されて、可聴音声メッセージに変換される。
この例では、ロング・メッセージ５３４にテキスト・メッセージが含まれることが判定されるとすぐに、コントローラ６３５は、そのテキスト・メッセージをディスプレイ６５０に結合し、被符号化肯定応答メッセージを生成する。肯定応答メッセージは送信機６８５に結合され、送信機６８５はRF送信信号６９５を生成する。RF送信信号６９５は、アンテナ６８０に結合され、送信される。
第６図に示される好適な実施例および代替の実施例の受信機６１０は、好ましくは、当業者に周知の種類の従来の二重変換型受信機であるが、単変換またはゼロ中間周波数（ZIF:zero intermediate frequency）受信機など他の従来型のものでもよい。符号メモリ６４０は、従来のEPROMまたは従来のSRAMまたは当業者には周知のその他の従来型メモリである。ディスプレイ６５０は、当業者には周知の種類のLCDディスプレイで、アンテナ６８０，スイッチ６７０および警告装置６６０も当業者には周知の装置である。コントローラ６３５は、好ましくは、マイクロプロセッサ，タイミング回路，ランダム・アクセス・メモリ，EPROMなどの不揮発性メモリおよび入力／出力回路構成を含む従来のハードウェア回路などを含むコントローラ部分内に実現される。本明細書において説明されるアドレス・デコーダ６３１，サブベクトル要素６３２，データ・パケット位置デコーダ６３３，データ・パケット・バッファ６３４，プロトコル位置デコーダ６３６，ショート・メッセージ・プロセッサ６３７，ロング・メッセージ・プロセッサ６３８，チャネル・セレクタ６３９，電力モード・コントローラ６５１，制御フレーム識別装置６５２，アドレス・スイッチ６５３，アドレス・フィールド・スイッチ６５４およびメッセージ・スイッチ６５５の独自の機能は、当業者には周知の技術により開発される独自のファームウェア・ルーチンにより制御される。マイクロプロセッサは、好ましくは、イリノイ州シャンバーグのモトローラ社により製造される68HC05系マイクロプロセッサの１つである。送信機６８５は、当業者には周知の種類の従来型低電力送信機である。
第７図は、本発明の好適な実施例により、無線通信システム１００のシステム・コントローラ１０２内で、無線チャネル上に送信される順方向チャネル無線信号を生成する方法を示す流れ図である。段階７１０において、公衆交換電話網（PSTN:Public Switched Telephone Network）１０８を用いる無線通信システムにメッセージが入力される。段階７２０において、PSTN番号が選択呼無線機アドレスに対して加入者データベース２２０を用いて割り当てられる。段階７３０において、無線通信システム１００内の動作中の無線チャネルの１つにチャネル割当が識別される。チャネル割当は、選択呼無線機のアドレスと、たとえば各選択呼無線機１０６について所定のデフォルト・チャネルを識別する所定のアルゴリズムとに基づいて行われる。
段階７４０において、選択呼無線機により次に解読される所定の制御フレーム３６０が、システム・コントローラ１０２により決定される。この制御フレームの決定は、選択呼無線機のアドレスおよびシステム管理情報に基づいて行われる。入力されたメッセージの種類が段階７５０で判定される。入力メッセージがショート・メッセージの場合は、段階７８０において次の制御フレーム３６０の情報フィールド内に組み入れられる。選択呼無線機１０６のアドレスは、ショート・メッセージを含むのと同じ制御フレーム３６０内に含まれる。ショート・メッセージ・パケットの開始位置が、システム・コントローラ１０２に記憶される。入力メッセージがロング・メッセージの場合、段階７６０で、無線通信システム１００にある無線チャネルの１つに送信される制御フレームまたはデータ・フレームの情報フィールド内に生成される。ロング・メッセージの開始位置が記憶される。段階７７０において、選択呼無線機のアドレスが指定される制御フレームの情報フィールド内に、ベクトル・パケットが組み入れられる。ロング・メッセージの開始位置およびロング・メッセージの送信に割り当てられるチャネルは、ベクトル・パケット内に含まれる。ベクトル・パケットの開始位置が記憶される。
段階７９０において、選択呼無線機アドレスが、制御フレームのアドレス・フィールド内に生成される。データ・パケット（ショート・メッセージ・パケットまたはベクトル・パケット）の位置は、選択呼無線機のアドレス内にサブベクトルとして含まれる。段階７９５において、選択呼無線機のアドレスおよびメッセージを含むフォーマット化された制御フレームおよびデータ・フレームが、セル・サイト・コントローラ２０２に転送され、無線送信機／受信機１０３により送信される。
第８図および第９図は、本発明の好適な実施例により、選択呼無線機１０６内で、無線通信システム１００内に送信される順方向チャネル無線信号上に受信される順方向チャネル情報を解読する方法を示す流れ図である。
段階８０５において、選択呼無線機１０６は、低電力モードから通常の電力モード動作に切り替わる。この切換は、選択呼無線機１０６が受信および解読する所定の制御フレーム３６０の始点で行われる。段階８１０において、選択呼無線機１０６は、順方向チャネル無線信号を受信し、制御フレーム３６０の始点で順方向チャネル・フレーム同期を用いて同期を実行する。ビット同期が実行されると、選択呼無線機１０６は、段階８１５において、順方向チャネル無線信号のシステム情報フィールド３３２にあるブロック情報ワードを受信および復調する。ブロック情報ワードは、段階８２０において、選択呼無線機１０６によって解読され、アドレス・フィールドの開始点と制御フレーム内のアドレス境界３３４が判定される。
段階８２５において、選択呼無線機１０６は、制御フレーム３６０のアドレス・フィールド３３３内で解読されたアドレスを、選択呼無線機１０６に記憶された埋込アドレスと比較する。段階８３０において選択呼無線機１０６により一致点が見つからず、段階８３５においてアドレス・フィールド３３３内にさらにアドレスが発見されると、選択呼無線機１０６は制御フレーム３６０のアドレス・フィールド３３３内にある次のアドレスを解読して、段階８２５で比較を実行する。段階８３５において、制御フレーム３６０のアドレス・フィールド３３３内にそれ以上アドレスが存在しない場合は、選択呼無線機１０６は段階８３７においてアドレス境界３３４で低電力モードに切り替わり、解読しなければならない次の所定の制御フレームを待つ。段階８３０で一致することが分かると、段階８４０において選択呼無線機のアドレスに埋め込まれたサブベクトルが順方向チャネル無線信号から解読され、そのアドレスに関わるデータ・パケットの開始位置が決定され、選択呼無線機１０６は段階８４５において低電力モードに切り替わりバッテリ寿命を節約する。選択呼無線機は、段階８５０において、データ・パケットの開始位置前に通常電力モードに切り替わる。データ・パケットは、段階８５５において選択呼無線機１０６により回復され、段階８６０においてデータ・パケットの種類が判定される。
データ・パケットがショート・メッセージ・パケットである場合、段階８９０でこのショート・メッセージ・パケットが処理される。ショート・メッセージ・パケットは、選択呼無線機１０６の選択呼アドレスが解読される制御フレーム３６０と同じ無線チャネル上で、同じ制御フレーム３６０内で選択呼無線機１０６により受信される。選択呼無線機１０６は、データ・パケット内の情報からデータ・パケットの長さを判定する。段階８９５において、選択呼無線機はデータ・パケットの終点で低電力モードに切り替わり、解読しなければならない次の所定の制御フレーム３６０を待つ。
段階８６０において、データ・パケットがベクトル・パケットである場合、選択呼無線機は段階８６５においてロング・メッセージの開始位置と長さとを解読する。段階８７０において、選択呼無線機１０６は、ベクトル・パケットの終点で低電力モードに切り替わり、バッテリ寿命を節約する。選択呼無線機１０６は、段階８７５において、ロング・メッセージの始点の前に通常電力モードに切り替わる。ロング・メッセージは、無線通信システム１００内で動作する無線チャネルのうち任意のチャネル上に送信されるサイクル３２０内でベクトル・パケットにより識別される制御フレーム３６０またはデータ・フレーム３７０内で処理される。段階８８５において、選択呼無線機１０６は、ロング・メッセージの終点で低電力モードに切り替わり、バッテリ寿命を節約し、解読しなければならない次の所定の制御フレーム３６０を待つ。
以上、従来の技術に比べ汎用性が強化され、複数の無線チャネルおよび着信メッセージを利用する無線通信システムにおいて特に有用である、無線信号内のメッセージ情報の位置を識別するための改善された方法および装置が提供されたことが理解頂けよう。この改善された方法および装置は、アドレス・フィールドの一部分を用いて、ショート・メッセージまたはベクトルであるデータ・パケットの位置を知らせる。数ワードの長さをもつことのあるショート・メッセージにより、選択呼無線機を他のプロトコル位置に移すことなく少量の情報の通信が可能になり、ベクトルによって、無線通信システムの発信プロトコル内の任意のチャネル上の任意の場所で、より長いメッセージの通信を行うことができる。ベクトルは、ロング・メッセージのプロトコル位置を伝えるために必要な長さがあればよい。
【図１】
0003950939.tif 000002
【図２】
0003950939.tif 000003
【図３】
0003950939.tif 000004
【図４】
0003950939.tif 000005
【図５】
0003950939.tif 000006
【図６】
0003950939.tif 000007
【図７】
0003950939.tif 000008
【図８】
0003950939.tif 000009
【図９】
0003950939.tif 000010